(57)【要約】【課題】メンテナンス情報を容易に構築することができるプロセス監視装置を提供する。【解決手段】プリンタ２等のメンテナンスの監視を行うプロセス監視装置１において、外部からプリンタ２等のメンテナンス情報を読み取るメモリ読み取りソフトウエア１６と、メモリ読み取りソフトウエア１６にて読み取ったメンテナンス情報をハードウエアメンテナンス情報データベース１３に格納するためのハードウエアメンテナンス情報読み取りソフトウエア１５と、ハードウエアメンテナンス情報データベース１３からメンテナンス情報を抽出して監視画面１１に表示させるための表示ソフトウエア１２とを備え、メモリ読み取りソフトウエア１６は、プロセス監視装置１に接続されている外部のプリンタ２等のメモリ２１からメンテナンス情報を読み取る。【選択図】図１
2013061775.tif 000002
【特許請求の範囲】
【請求項１】
被メンテナンス装置のメンテナンスの監視を行うプロセス監視装置において、
上記プロセス監視装置の外部から上記被メンテナンス装置のメンテナンス情報を読み取る読み取りソフトウエアと、
上記読み取りソフトウエアにて読み取った上記メンテナンス情報をメンテナンス情報データベースに格納するための格納ソフトウエアと、
上記メンテナンス情報データベースから上記メンテナンス情報を抽出して監視画面に表示させるための表示ソフトウエアとを備え、
上記読み取りソフトウエアは、上記プロセス監視装置に接続されている外部の上記被メンテナンス装置、あるいは、上記プロセス監視装置に接続されている外部の読み取り装置から上記メンテナンス情報を読み取ることを特徴とするプロセス監視装置。
【請求項２】
請求項１のプロセス監視装置を用いた保守品管理方法において、
上記読み取りソフトウエアが外部から上記メンテナンス情報を読み取り、
上記格納ソフトウエアが上記読み取りソフトウエアの読み取った上記メンテナンス情報をメンテナンス情報データベースに格納し、
上記表示ソフトウエアが上記メンテナンス情報データベースから上記メンテナンス情報を抽出して監視画面に表示することを特徴とする保守品管理方法。
【請求項３】
上記被メンテナンス装置は、上記メンテナンス情報を格納するメモリを有し、
上記読み取りソフトウエアは、上記プロセス監視装置に接続されている外部の上記被メンテナンス装置の上記メモリから上記メンテナンス情報を読み取ることを特徴とする請求項２に記載の保守品管理方法。
【請求項４】
上記被メンテナンス装置は、上記メンテナンス情報を格納するメモリを有し、
上記読み取り装置は、上記被メンテナンス装置の上記メモリから上記メンテナンス情報を読み取り、
上記読み取りソフトウエアは、上記プロセス監視装置に接続されている外部の上記読み取り装置から上記メンテナンス情報を読み取ることを特徴とする請求項２に記載の保守品管理方法。
【請求項５】
上記読み取り装置は、上記被メンテナンス装置の上記メンテナンス情報が格納された電子記録媒体から上記メンテナンス情報を読み取り、
上記読み取りソフトウエアは、上記プロセス監視装置に接続されている外部の上記読み取り装置から上記メンテナンス情報を読み取ることを特徴とする請求項２に記載の保守品管理方法。
【発明の詳細な説明】
【技術分野】
【０００１】
この発明は、オペレータが資料を探すことなく保守品のメンテナンス情報を容易に知ることができ、うっかりして交換時期を過ぎてしまう等の事故の発生を抑制することができるプロセス監視装置および保守品管理方法に関するものである
【背景技術】
【０００２】
従来のプロセス監視装置はハードディスク等に格納されたハードウエアメンテナンス情報があり、この情報を監視画面に表示したり、プリンタに印字したり、フロッピー（登録商標）ディスクに転送したりすることにより、オペレータが資料を探すことなく交換時期等のメンテナンス情報を知ることができ、うっかりして交換時期を過ぎてしまう等の事故が抑制されている（例えば、特許文献１参照）。また、メンテナンスプロバイダにメンテナンスサーバを持ち、メンテナンスプロバイダを介して設備ユーザと設備ベンダを接続し、設備ベンダからメンテナンスプロバイダにメンテナンス情報を提供してもらい、メンテナンスサーバにメンテナンス情報を自動で構築するものである（例えば、特許文献２参照）。
【先行技術文献】
【特許文献】
【０００３】
【特許文献１】特開７−４４２２４号公報
【特許文献２】特開２００１−２５７７８８号公報
【発明の概要】
【発明が解決しようとする課題】
【０００４】
先の従来のプロセス監視装置は、ハードディスク等に格納されたハードウエアメンテナンス情報が必要で、プロセス監視装置において用いられる保守品のメンテナンス情報はベンダからユーザに紙等で提供されるのが一般的であり、紙等でできた各保守品のメンテナンス情報の一覧表から、手入力等により手動でデータを入力してデータベースを作成しなければならなく、コストがかかるという問題点があった。
【０００５】
また、後の従来の場合は、メンテナンスプロバイダにメンテナンスサーバを持ち、メンテナンスプロバイダを介して設備ユーザと設備ベンダを接続し、設備ベンダからメンテナンスプロバイダにハードウエアメンテナンス情報を提供してもらい、メンテナンスサーバ内に総合ハードウエアメンテナンス情報を自動で構築することが可能であるが、この場合、メンテナンスプロバイダを介して設備ユーザと設備ベンダとを接続しなければならず、大がかりなシステムとなり、構築のためのイニシャルコストがかかり、接続のための通信費用やプロバイダとの契約費用等のランニングコストがかかるという問題点があった。
【０００６】
この発明は上記のような課題を解決するためになされたものであり、設備ユーザと設備ベンダとを接続することなく、メンテナンス情報を容易に構築することができるプロセス監視装置および保守品管理方法を提供することを目的とする。
【課題を解決するための手段】
【０００７】
この発明のプロセス監視装置は、
被メンテナンス装置のメンテナンスの監視を行うプロセス監視装置において、
上記プロセス監視装置の外部から上記被メンテナンス装置のメンテナンス情報を読み取る読み取りソフトウエアと、
上記読み取りソフトウエアにて読み取った上記メンテナンス情報をメンテナンス情報データベースに格納するための格納ソフトウエアと、
上記メンテナンス情報データベースから上記メンテナンス情報を抽出して監視画面に表示させるための表示ソフトウエアとを備え、
上記読み取りソフトウエアは、上記プロセス監視装置に接続されている外部の上記被メンテナンス装置、あるいは、上記プロセス監視装置に接続されている外部の読み取り装置から上記メンテナンス情報を読み取るものである。
【０００８】
この発明のプロセス監視装置を用いた保守品管理方法は、
上記読み取りソフトウエアが外部から上記メンテナンス情報を読み取り、
上記格納ソフトウエアが上記外部読み取りソフトウエアの読み取った上記メンテナンス情報を読み取りメンテナンス情報データベースに格納し、
上記表示ソフトウエアが上記メンテナンス情報データベースから上記メンテナンス情報を抽出して監視画面に表示するものである。
【発明の効果】
【０００９】
この発明のプロセス監視装置は、
被メンテナンス装置のメンテナンスの監視を行うプロセス監視装置において、
上記プロセス監視装置の外部から上記被メンテナンス装置のメンテナンス情報を読み取る読み取りソフトウエアと、
上記読み取りソフトウエアにて読み取った上記メンテナンス情報をメンテナンス情報データベースに格納するための格納ソフトウエアと、
上記メンテナンス情報を格納する上記メンテナンス情報データベースと、
上記メンテナンス情報データベースから上記メンテナンス情報を抽出して監視画面に表示させるための表示ソフトウエアとを備え、
上記読み取りソフトウエアは、上記プロセス監視装置に接続されている外部の上記被メンテナンス装置、あるいは、上記プロセス監視装置に接続されている外部の読み取り装置から上記メンテナンス情報を読み取るので、
メンテナンス情報を容易に構築することができる。
【００１０】
この発明のプロセス監視装置を用いた保守品管理方法は、
上記読み取りソフトウエアが外部から上記メンテナンス情報を読み取り、
上記格納ソフトウエアが上記読み取りソフトウエアの読み取った上記メンテナンス情報を読み取りメンテナンス情報データベースに格納し、
上記表示ソフトウエアが上記メンテナンス情報データベースから上記メンテナンス情報を抽出して監視画面に表示するので、
メンテナンス情報を容易に構築することができる。
【図面の簡単な説明】
【００１１】
【図１】この発明の実施の形態１のプロセス監視装置の構成を示す図である。
【図２】この発明の実施の形態２のプロセス監視装置の構成を示す図である。
【図３】この発明の実施の形態３のプロセス監視装置の構成を示す図である。
【発明を実施するための形態】
【００１２】
実施の形態１．
以下、本願発明の実施の形態について説明する。図１はこの発明の実施の形態１におけるプロセス監視装置の構成を示すブロック図である。図において、プロセス監視装置１は、被メンテナンス装置としてのプリンタ２およびシーケンサ・コントローラ類３などのメンテナンスの監視を行うものである。ここではプリンタ２およびシーケンサ・コントローラ類３はプロセス監視装置１の外部にて接続されている。また、プリンタ２およびシーケンサ・コントローラ類３は、それぞれ内蔵のメモリ２１、３１を備え、それぞれには例えばそれぞれの交換時期などのメンテナンスに必要になるメンテナンス情報をベンダにて既に格納されている。
【００１３】
そして、プロセス監視装置１は、外部からプリンタ２およびシーケンサ・コントローラ類３のメモリ２１、３１に格納されているメンテナンス情報を読み取る読み取りソフトウエアとしてのメモリ読み取りソフトウエア１６と、メモリ読み取りソフトウエア１６にて読み取ったメンテナンス情報を後述するメンテナンス情報データベースに格納するための格納ソフトウエアとしてのハードウエアメンテナンス情報読み取りソフトウエア１５と、メンテナンス情報を格納するメンテナンス情報データベースとしてのハードウエアメンテナンス情報データベース１３と、ハードウエアメンテナンス情報データベース１３からメンテナンス情報を抽出して監視画面１１に表示させるための表示ソフトウエア１２と、プロセス監視装置１に関する使用開始時期などの管理情報が格納されている管理情報データベース１４とを備えている。
【００１４】
次に上記のように構成された実施の形態１のプロセス監視装置の保守品管理方法について説明する。まず、プリンタ２やシーケンサ・コントローラ類３がプロセス監視装置１に外部にて接続される。次に、メモリ読み取りソフトウエア１６が、プリンタ２やシーケンサ・コントローラ類３内にある、メンテナンス情報が格納されているメモリ２１、３１から、各保守品に関するメンテナンス情報を読み取る。次に、ハードウエアメンテナンス情報読み取りソフトウエア１５がメモリ読み取りソフトウエア１６にて読み取ったメンテナンス情報を、プロセス監視装置１のハードディスク等のハードウエアメンテナンス情報データベース１３に保存する。そして、表示ソフトウエア１２は、ハードウエアメンテナンス情報データベース１３のメンテナンス情報に基づき、管理情報データベース１４の管理情報を参照して、次の部品交換時期等を算出する。そして、算出された交換時期等の内容を監視画面１１上にメッセージとして表示し、オペレータにハードウエアメンテナンス情報データベース１３に格納されているメンテナンス情報を通知する。
【００１５】
上記のように構成された実施の形態１のプロセス監視装置および保守品管理システムは、メンテナンスプロバイダを介して設備ユーザと設備ベンダを接続せずに、大がかりのシステムとならずメンテナンス情報の構築のためのイニシャルコストを抑制し、接続のための通信費用やプロバイダとの契約費用等のランニングコストをかけずに、ハードディスク等にてメンテナンス情報を構築できる。このメンテナンス情報を監視画面に表示したり、プリンタに印字したり、ＤＶＤ等記憶装置に転送したりすることにより、オペレータが資料を探すことなく交換時期等のメンテナンス情報を知ることができ、うっかりして交換時期を過ぎてしまう等の事故を抑制する。
【００１６】
また、様々な分野において、紙面の情報ではなく、データ化された情報を読み込むようにしたものが存在すると考えられる。しかし、プロセス監視装置は、プリンタ、シーケンサ・コントローラ類、受変電盤、自家発電機等、複数のベンダや工場で製作された多くの装置を組み合わせて構築される。よって、都度個別の装置にアクセスして、データ化されたメンテナンス情報を読み込んで確認するのは手間であり、その時期にメンテナンス必要な部品等を、プロセス監視装置を構成する装置全てにアクセスして、データ化されたメンテナンス情報から検索するのは困難という問題点があった。よって本願発明によれば、プロセス監視装置を構成する装置のメンテナンス情報をメンテナンス情報データベースに集めて一元管理することにより、メンテナンス効率を向上出来るという効果がある。
【００１７】
実施の形態２．
図２はこの発明の実施の形態２のプロセス監視装置の構成を示した図である。図において、上記実施の形態１と同様の部分は同一符号を付して説明を省略する。上記実施の形態１では、プリンタ２やシーケンサ・コントローラ類３がプロセス監視装置１に接続された時に、プリンタ２やシーケンサ・コントローラ類３の中にあるメモリ２１、３１からメンテナンス情報を読み取る場合について示したが、本実施の形態２では、図２に示すように、被メンテナンス装置がプロセス監視装置１に直接接続されていない、例えば、受変電盤４や自家発電機５などについても、ベンダにて既にハードウエアのメンテナンス情報を格納したＩＣメモリ・バーコード等４１、５１がそれぞれ貼り付けられている。そして、プロセス監視装置１に接続された読み取り装置としてのリーダ６は、ＩＣメモリ・バーコード等４１、５１からメンテナンス情報を読み取る。そして、プロセス監視装置１は、プロセス監視装置１に接続されている外部のリーダ６からメンテナンス情報を読み取る読み取りソフトウエアとしてのＩＣメモリ・バーコード等リード読み取りソフトウエア１７を備えている。
【００１８】
次に上記のように構成された実施の形態２のプロセス監視装置の保守品管理方法について説明する。まず、リーダ６がプロセス監視装置１に外部にて接続される。次に、リーダ６が受変電盤４や自家発電機５のＩＣメモリ・バーコード等４１、５１からメンテナンス情報を読み取る。次に、ＩＣメモリ・バーコード等リード読み取りソフトウエア１７が、リーダ６から各保守品に関するメンテナンス情報を読み取る。以下、上記実施の形態１と同様に行うことができる。
【００１９】
このように構成された実施の形態２のプロセス監視装置および保守品管理システムは、被メンテナンス装置からメンテナンス情報を読み取る読み取り装置が、プロセス監視装置の外部に接続され、この読み取り装置のメンテナンス情報を読み取ることにより、上記実施の形態１と同様の効果を奏することができる。
【００２０】
実施の形態３．
図３はこの発明の実施の形態３のプロセス監視装置の構成を示した図である。図において、上記各実施の形態と同様の部分は同一符号を付して説明を省略する。上記実施の形態１および実施の形態２では、被メンテナンス装置にメンテナンス情報が格納されている場合について示したが、本実施の形態３では、被メンテナンス装置のベンダから、ハードウエアのメンテナンス情報をプロセス監視装置１の指定するフォームにて電子記録媒体としてのＤＶＤ等８に格納されている。そして、プロセス監視装置１に接続された読み取り装置としてのＤＶＤ等記憶装置７は、ＤＶＤ等８からメンテナンス情報を読み取る。そして、プロセス監視装置１は、プロセス監視装置１に接続されている外部のＤＶＤ等記憶装置７からメンテナンス情報を読み取る読み取りソフトウエアとしてのＤＶＤ等記憶装置読み取りソフトウエア１８を備えている。
【００２１】
次に上記のように構成された実施の形態３のプロセス監視装置の保守品管理方法について説明する。まず、ＤＶＤ等記憶装置７がプロセス監視装置１に外部にて接続される。次に、ＤＶＤ等記憶装置７がＤＶＤ等８からメンテナンス情報を読み取る。次に、ＤＶＤ等記憶装置読み取りソフトウエア１８が、ＤＶＤ等記憶装置７から各保守品に関するメンテナンス情報を読み取る。以下、上記各実施の形態と同様に行うことができる。
【００２２】
このように構成された実施の形態３のプロセス監視装置およびプロセス監視装置の保守品管理システムは、被メンテナンス装置のメンテナンス情報が格納された電子記録媒体を読み取る読み取り装置が、プロセス監視装置の外部に接続され、この読み取り装置のメンテナンス情報を読み取ることにより、上記実施の形態１と同様の効果を奏することができる。また、電子記録媒体のメンテナンス情報を読み取るため、異なるベンダ同士であっても容易に読み取ることが可能となる。
【符号の説明】
【００２３】
１  プロセス監視装置、２  プリンタ、３  シーケンサ・コントローラ類、
４  受変電盤、５  自家発電機、６  リーダ、７  ＤＶＤ等記憶装置、８  ＤＶＤ等、
１１  監視画面、１２  表示ソフトウエア、
１３  ハードウエアメンテナンス情報データベース、１４  管理情報データベース、
１５  ハードウエアメンテナンス情報読み取りソフトウエア、
１６  メモリ読み取りソフトウエア、
１７  ＩＣメモリ・バーコード等リーダ読み取りソフトウエア、
１８  ＤＶＤ等記憶装置読み取りソフトウエア、２１  メモリ、３１  メモリ、
４１  ＩＣメモリ・バーコード等、５１  ＩＣメモリ・バーコード等。
【図１】
2013061775.tif 000003
【図２】
2013061775.tif 000004
【図３】
2013061775.tif 000005